(57)【要約】  ワイヤレス・サービス・プロバイダ（ＷＳＰ）は、ユーザ・デバイスからビデオ・ストリームについての要求を受信する。ＷＳＰは、ビデオ・ストリームが、ユーザの手動の要求、または所定の条件が満たされていることに基づいて、ビデオ部分が、修正され、または取り除かれるべきかどうかを決定する。修正は、ビデオ部分の除去、または元のビデオ部分のより低い帯域幅のビデオ部分との置換とすることができる。次いで、修正されたビデオ・ストリームは、ユーザ・デバイスに対して送信される。
2016530759.tif 000002
【特許請求の範囲】
【請求項１】
ビデオ部分とオーディオ部分とを含むビデオ・ストリームについての要求を受信するステップと、
前記ビデオ・ストリームから前記ビデオ部分をフィルタにかけるステップと、
オーディオ・ストリームを送信するステップと
を含む、ビデオ・ストリームの一部分を送信するための方法。
【請求項２】
前記ビデオ・ストリームから前記ビデオ部分をフィルタにかける前記ステップは、ネットワーク内の混雑度が所定のしきい値を超過することに基づいて起きる、請求項１に記載のビデオ・ストリームの一部分を送信するための方法。
【請求項３】
前記ビデオ・ストリームから前記ビデオ部分をフィルタにかける前記ステップは、リクエスタが所定のしきい値よりも高速で移動しているときに起きる、請求項１に記載のビデオ・ストリームの一部分を送信するための方法。
【請求項４】
ビデオ・ストリームについての前記要求は、前記ビデオ・ストリームの前記オーディオ部分だけについての要求を含む、請求項１に記載のビデオ・ストリームの一部分を送信するための方法。
【請求項５】
前記ビデオ・ストリームから前記ビデオ部分をフィルタにかける前記ステップは、ユーザがデータ割り当て量を超過しているという決定に基づいて起きる、請求項１に記載のビデオ・ストリームの一部分を送信するための方法。
【請求項６】
前記ビデオ・ストリームから前記ビデオ部分をフィルタにかける前記ステップは、ユーザがデータ割り当て量の所定のパーセンテージを超過しているという決定に基づいて起きる、請求項１に記載のビデオ・ストリームの一部分を送信するための方法。
【請求項７】
前記ビデオ・ストリームから前記ビデオ部分をフィルタにかける前記ステップは、ユーザが、要求しているユーザ・デバイス上のディスプレイを現在、見ていないという決定に基づいて、起きる、請求項１に記載のビデオ・ストリームの一部分を送信するための方法。
【請求項８】
第１のビデオ部分とオーディオ部分とを含む第１のビデオ・ストリームについての要求を受信するステップであって、前記第１のビデオ部分は第１の帯域幅を有する、ステップと、
第２のビデオ・ストリームを作るために、前記第１のビデオ部分を第２のビデオ部分と置換するステップであって、前記第２のビデオ部分は、前記第１の帯域幅よりも低い第２の帯域幅を有する、ステップと、
前記第２のビデオ・ストリームを送信するステップと
を含む、修正されたビデオ・ストリームを送信するための方法。
【請求項９】
前記第１のビデオ部分はミュージック・ビデオを含んでおり、前記第２のビデオ部分は前記ミュージック・ビデオに関連する歌詞を含む、請求項８に記載の修正されたビデオ・ストリームを送信するための方法。
【請求項１０】
前記第１のビデオ部分を第２のビデオ部分と置換する前記ステップは、リクエスタが所定のしきい値よりも高速に移動しているときに、前記第１のビデオ部分を第２のビデオ部分と置換するステップを含む、請求項８に記載の修正されたビデオ・ストリームを送信するための方法。
【発明の詳細な説明】
【技術分野】
【０００１】
本発明は、一般に通信システムに関する。
【背景技術】
【０００２】
ワイヤレス・データ・トラフィックは、最近になって非常に増大しており、また急激に増大していくことが予測される。ビデオ・トラフィックは、ワイヤレス・ネットワーク・リソース上での最大の浪費の原因であり続けるであろう。これは、明らかに、ワイヤレス・サービス・プロバイダ（ＷＳＰ：Ｗｉｒｅｌｅｓｓ  Ｓｅｒｖｉｃｅ  Ｐｒｏｖｉｄｅｒ）にとって問題であり、ワイヤレス・ネットワーク上でビデオを搬送する影響を低減させることが望ましい。同時に、ビデオのヘビー・ユーザはまた、彼らの毎月のデータ・アカウント上の制限に直面することにもなる。データ・ビットについての彼らの消費を低減することができるものは何であっても望ましい。
【０００３】
多数のユーザは、彼らのワイヤレス・デバイスをメディア・プレーヤとして利用する。とりわけ、多数のワイヤレス・ユーザは、ビデオ・ウェブサイトを利用して、そのウェブサイトによって提供されるミュージックに耳を傾ける。ミュージックを聴くためには、ユーザは、ウェブサイトからオーディオとビデオとの両方を受信して、ミュージックに耳を傾ける。これは、ネットワーク・リソースの巨大な使用であり、これは、ネットワーク・リソースを浪費するだけではなく、ユーザのデータ・プランの大部分を利用することもする。またこれは、より多くのネットワーク・プロバイダが、制限付きのデータ・プランを提供しているときにやって来ており、これにより、ユーザは、無制限のデータ帯域幅を利用することができないようになる。
【０００４】
したがって、彼らのデータ・プランのうちのあまりにも多くを利用することなく、ワイヤレス・ユーザに望ましいコンテンツを提供する方法についての必要性が存在している。さらに、ＷＳＰが、彼らのネットワークを動きが取れないようにさせることなく、また追加の帯域幅を提供する彼らのネットワークを構築する必要性を必要とすることなく、望ましいコンテンツを提供するための必要性が存在している。
【発明の概要】
【課題を解決するための手段】
【０００５】
本発明の例示の一実施形態は、ＷＳＰが、ビデオ・フィードのオーディオ部分だけが、要求しているユーザに対して送信されることを要求するメカニズムをユーザに提供することを可能にする方法を提供している。オーディオと、ビデオとの両方を含むビデオ・ストリームは、ビデオ・コンテンツをストリップアウトし、またオーディオ・コンテンツだけを転送する、ＷＳＰのネットワークにおけるフィルタリング・デバイスに対してルーティングされる。代わりに、ユーザは、より低い帯域幅のビデオ部分が、ユーザに対して戻され、その結果、より少ないデータが、リクエスタによって使用されるようになることを要求することもできる。
【０００６】
例示の一実施形態は、以下のように機能する。ユーザのデバイス設定メニューは、オーディオだけのフィードが、特定のアプリケーションまたはウェブサイト、例えば、ユーチューブ（ＹｏｕＴｕｂｅ）のために望ましいかどうかを示すために、インターフェースをユーザに対して提供する。代替的な例示の一実施形態においては、アプリケーションまたはウェブサイト、それら自体は、そのようなインターフェースを供給する。さらなる例示の一実施形態においては、ビデオをトランスコードするＷＳＰの代わりに、ユーチューブは、この特定のインスタンスのためにオーディオだけを送信するようにそれに通知するインターフェースを提供する。例えば、ユーザは、ユーザが、ある種の条件下に、例えば、ネットワークの混雑状態の時間中に、あるいはユーザが、ユーザの毎月のデータ許可量の近くにあり、または超過しているときに、オーディオだけを望むことをＷＳＰに登録する。ＷＳＰは、この条件が満たされるときをユーザに通知する。その後に、除去されるまで、ユーザが、ユーチューブを開始するときに、オーディオだけについてのユーザの好みが、ビデオ要求とともに送信される。もちろん、ユーザは、いつでもユーチューブ・アプリケーションにおいて、オーディオだけを簡単に選択することができる。
【０００７】
さらなる例示の一実施形態に従って、ユーザは、最初に、ユーザの好みをＷＳＰに、設定する。所定の条件が満たされるときに、ＷＳＰサーバは、フィルタリング・デバイスに知らせる。この例示の実施形態においては、フィルタリング・デバイスは、ユーザからのビデオ要求を検出し、また傍受し、またその要求を修正して、オーディオだけにし、またユーチューブなど、ウェブサイトまたはサーバにそれを渡す。代わる代わる、フィルタリング・デバイスは、レストフルＡＰＩ（ＲＥＳＴｆｕｌ  ＡＰＩ）を経由して、ウェブサイトまたはサーバに対してオーディオだけを指定する。
【０００８】
順に、ＷＳＰは、フィルタリング・デバイスをプロビジョニングして、指定されたアプリケーションのプロバイダまたはサーバから、データ・ストリームからのビデオ・コンテンツをストリップし、オーディオ・コンテンツを転送するトランスコーディング・デバイスへとデータ・トラフィックをルーティングする。このプロビジョニングは、ユーザ設定に基づいて前もって行われることが好ましく、あるいは代わりに、現在視聴しており、またはアプリケーションからビデオを少なくとも受信しているユーザによってトリガされるときに、例えば、レストフルＡＰＩを経由して、リアル・タイムに行われることもある。
【０００９】
代替的な例示の一実施形態においては、より低い帯域幅のコンテンツが、ビデオ・ストリームのビデオ・コンテンツを置換する。このより低い帯域幅のコンテンツは、ビジュアル・パターン、関連する歌に対する歌詞、ピクチャまたは写真などを含むことができる。
【００１０】
さらなる例示の一実施形態においては、ユーザは、ある種の所定の条件が満たされるときに、ビデオ・コンテンツが、取り除かれるか、またはより低い帯域幅だけに低減されるかのいずれかの場合のサービスに加入することができる。例えば、所定の条件は、ネットワークの混雑状態、またはモバイル・ユニットなど、要求しているユーザ・デバイスが、所定のしきい値よりも高速で移動しているという決定を含むことができる。この場合に、仮定は、ユーザ・デバイスのユーザが、乗り物の中で移動しており、またどのようなビデオ・コンテンツもその乗り物の運転手の心をかき乱す可能性があることである。そのようなシナリオにおいては、ビデオは、要求しているユーザに対してストリームを送信することに先立って、取り除かれる。
【図面の簡単な説明】
【００１１】
【図１】本発明の例示の一実施形態による、通信ネットワークの機能的アーキテクチャを示す図である。
【図２】本発明の例示の一実施形態による、コールの流れ図を示す図である。
【発明を実施するための形態】
【００１２】
図１は、本発明の例示の一実施形態による、通信ネットワーク１００の機能的アーキテクチャを示すものである。通信ネットワーク１００は、ワイヤレス・サービス・プロバイダ（ＷＳＰ）ネットワーク１１０と、ユーザ・デバイス１２１と、インターネット１１１とを含む。
【００１３】
ＷＳＰネットワーク１１０は、ＰＤＮ（パケット・データ・ネットワーク（Ｐａｃｋｅｔ  Ｄａｔａ  Ｎｅｔｗｏｒｋ））ゲートウェイ（ＰＧＷ）１０１と、無線アクセス・ネットワーク（ＲＡＮ：Ｒａｄｉｏ  Ａｃｃｅｓｓ  Ｎｅｔｗｏｒｋ）１０３と、ＷＳＰサーバ１０５と、フィルタリング・デバイス１０７と、トランスコーダ１０９とを含むことが好ましい。
【００１４】
ＰＧＷ１０１は、ポリシー実施と、各ユーザのためのパケット・フィルタリングと、課金サポートと、合法的通信傍受と、パケット・スクリーニングとを実行することが好ましい。ＰＧＷ１０１はまた、ＷｉＭＡＸや３ＧＰＰ２などの３ＧＰＰ技術と、非３ＧＰＰ技術との間の、すなわち、ＣＤＭＡ  １Ｘと、ＥｖＤＯとの間のモビリティについてのアンカーとしての機能を果たすこともできる。
【００１５】
ＲＡＮ１０３は、無線アクセス技術を実施する。ＲＡＮ１０３は、ユーザ・デバイス１２１をＷＳＰネットワーク１１０と結合することが好ましい。
【００１６】
ＷＳＰサーバ１０５は、特定のアプリケーションのためにフィルタにかけてビデオを取り除くユーザ要求を受信するための役割を担っている。例示の一実施形態に従って、ユーザ・デバイス１２１のユーザは、アプリケーションを開始し、またそのアプリケーションについての設定は、ＷＳＰサーバ１０５において受信され、このＷＳＰサーバ１０５は、次には、フィルタリング・デバイス１０７上での設定を構成する。ＷＳＰ１１０は、インターネット１１１などのコンテンツ・プロバイダからのすべてのストリームをフィルタリング・デバイス１０７に対してルーティングする。
【００１７】
フィルタリング・デバイス１０７は、上記で構成される設定に従って、ユーザ・デバイスによって要求されるビデオ・ストリームをトランスコーダ１０９に対して選択的にルーティングする。
【００１８】
トランスコーダ１０９は、オーディオ／ビデオ・ストリームからビデオ・コンテンツを取り除く。例示の一実施形態においては、マルチメディア・ストリームは、タイム・ベースと同期させられたオブジェクト指向フォーマットで、オーディオ成分と、ビデオ成分とを符号化することが好ましい、ＭＰ４、ＦＬＶ、３ＧＰなどのコンテナへとパッケージされる。トランスコーダ１０９は、フォーマット・ヘッダを構文解析して、ビデオ・データ境界を識別し、またそれを取り除くことが好ましい。トランスコーダ１０９はまた、ヘッダに対する必要なアップデートを行って、変更されたコンテンツを反映させる。
【００１９】
ユーザ・デバイス１２１は、ＷＳＰネットワーク１１０と通信することができるワイヤレス通信デバイスである。規格に応じて、モバイル電話と、他のワイヤレス接続されたデバイスとは、ユーザ機器（ＵＥ：ｕｓｅｒ  ｅｑｕｉｐｍｅｎｔ）、端末機器、移動局（ＭＳ：ｍｏｂｉｌｅ  ｓｔａｔｉｏｎ）などとして変化に富むように知られている。
【００２０】
ユーザ・デバイス１２１は、加入者アイデンティティ・モジュール、または加入者識別モジュール（ＳＩＭ：ｓｕｂｓｃｒｉｂｅｒ  ｉｄｅｎｔｉｆｉｃａｔｉｏｎ  ｍｏｄｕｌｅ）を含むことが好ましく、このモジュールは、ユーザ・デバイス１２１上で加入者を識別し、また認証するために使用されるＩＭＳＩと、関連したキーとをセキュリティ上安全に記憶する集積回路である。
【００２１】
ユーザ・デバイス１２１は、セル電話やスマートフォンなどのモバイル・デバイスとすることができるが、代わりに、マシン・ツー・マシン（Ｍ２Ｍ：Ｍａｃｈｉｎｅ−ｔｏ−Ｍａｃｈｉｎｅ）通信におけるデバイスまたはセンサ、あるいはモノのインターネット（ＩｏＴ：Ｉｎｔｅｒｎｅｔ  ｏｆ  Ｔｈｉｎｇｓ）のデバイスまたはセンサとすることもできる。
【００２２】
ユーザ・デバイス１２１と、ＷＳＰネットワーク１１０との間のインターフェース１２５は、一般的に、ウェブ・トラフィックのために使用されるＨＴＴＰプロトコル上のＸＭＬフォーマットによるメッセージとして実施される「レストフル」ＡＰＩとすることが好ましい。インターフェース１２５は、ＲＡＮ１０３およびＰＧＷ１０１を経由して、ＷＳＰサーバ１０５に対してデータを送信することが好ましい。
【００２３】
インターネット１１１は、標準のインターネット・プロトコル・スイート（ＴＣＰ／ＩＰ）を使用して、世界中の数十億人のユーザにサービスする相互接続されたコンピュータ・ネットワークのグローバル・システムである。インターネット１１１は、電子ネットワーキング技術と、ワイヤレス・ネットワーキング技術と、光ネットワーキング技術とのブロード・アレイによってリンクされるローカルからグローバルまでの範囲の、数百万の私的ネットワークと、公衆ネットワークと、アカデミック・ネットワークと、ビジネス・ネットワークと、政府系ネットワークとを含むネットワークのうちの１つのネットワークである。インターネット１１１は、ワールド・ワイド・ウェブの相互にリンクされたハイパーテキスト・ドキュメントなど、広大な範囲の情報のリソースおよびサービスを搬送する。
【００２４】
図２は、本発明の例示の一実施形態による、コールの流れ図２００を示すものである。例示の一実施形態に従って、ユーザ・デバイス１２１は、ＷＳＰサーバ１０５に警報を出すことにより、ビデオ・フィルタリング・サービスをオンにする。代わりに、ＷＳＰネットワーク１１０が、ネットワークの中で混雑状態を検出するときに、ユーザ・デバイスが、ビデオだけのフィルタリングを受け入れることになることを示すこともある。さらなる例示の一実施形態においては、ビデオ・コンテンツは、ポリシーに基づいて、フィルタにかけられる。例えば、ユーザ・デバイス１２１が、乗り物の中で使用されており、ビデオ・コンテンツを不必要であるだけではなくて、危険でもあるようにしていることが、決定されるときに、ビデオは、ストリームから取り除かれることもある。これは、ユーザ・デバイス１２１が、移動しているスピードを算出した後に、行われることが好ましい。さらなる例示の一実施形態においては、ディスプレイが、現在、電源が入れられておらず、または機能していないことを決定した後に、ビデオ・コンテンツは、フィルタにかけられる。さらにまた、ユーザ・デバイスが、現在ロックされていることが、決定されるときに、ビデオ・コンテンツは、フィルタにかけられる可能性がある。さらに、ユーザ・デバイスのユーザが、認識技術を利用して、ディスプレイを現在、見ていないことが、決定されるときに、ビデオ・コンテンツは、フィルタにかけられる可能性がある。
【００２５】
ユーザ、またはユーザ・デバイス１２１上のアプリケーションは、オーディオだけの要求２０１をＷＳＰサーバ１０５に対して送信することにより、アプリケーション・サーバ１０５にビデオ・ストリームを要求する。ＷＳＰサーバ１０５は、コンテンツ・プロバイダからのすべてのストリームをフィルタリング・デバイス１０７に対してルーティングする。
【００２６】
ＷＳＰサーバ１０５は、オーディオだけの要求２０３をフィルタリング・デバイス１０７に対して送信する。
【００２７】
フィルタリング・デバイス１０７は、オーディオだけの要求２０４をトランスコーダ１０９に対して送信する。
【００２８】
ユーザ・デバイス１２１は、ビデオ要求２０５をインターネット１１１に対して送信する。
【００２９】
インターネット１１１は、ビデオ・ストリーム２０７をフィルタリング・デバイス１０７に対して送信する。
【００３０】
フィルタリング・デバイス１０７は、要求されたストリームからビデオを取り除く要求について知っており、またそのようにして、ビデオ・ストリーム２０９をトランスコーダ１０９に対して送信する。代替的な例示の一実施形態においては、フィルタリング・デバイス１０７は、すべてのオーディオ／ビデオ要求からのビデオをフィルタにかけることをデフォルトにすることができ、またビデオが、ユーザによって、または個別のユーザの設定に基づいて、特に要求されるものについてだけ、送信されることを可能にすることができる。
【００３１】
トランスコーダ１０９は、オーディオ・ストリーム２１１をフィルタリング・デバイス１０７に対して送信する。オーディオ・ストリーム２１１は、ビデオ・ストリーム２０９のビデオ部分のない、ビデオ・ストリーム２０９のオーディオ部分を含んでいる。例示の一実施形態に従って、トランスコーダ１０９は、ＭＰ４、ＦＬＶ、３ＧＰなどのコンテナへとマルチメディア・ストリームをパッケージすることにより、ビデオ・コンテンツを取り除く。それらのコンテナは、タイム・ベースと同期させられたオブジェクト指向フォーマットで、オーディオ成分と、ビデオ成分とを符号化する。トランスコーダ１０９は、フォーマット・ヘッダを構文解析して、ビデオ・データ境界を識別し、またビデオを取り除くことが好ましい。トランスコーダ１０９はまた、ヘッダに対する必要なアップデートを行って、変更されたコンテンツを反映させることも好ましい。
【００３２】
例示の一実施形態に従って、トランスコーダ１０９は、低帯域幅のビデオ・コンテンツで、ビデオ・ストリーム２０９の既存のビデオ・コンテンツを置換する。例えば、ミュージック・ビデオでは、元のビデオは、簡単な移動する視覚パターン、または歌詞で置換されることができる。
【００３３】
フィルタリング・デバイス１０７は、オーディオ・ストリーム２１３をユーザ・デバイス１２１に対して送信する。
【００３４】
例示の一実施形態は、それゆえに、ＷＳＰについての帯域幅の消費を低減させ、これは、リソース割り付けと、資本支出とにおける低減をもたらす。ダウンロードされたデータ・ストリームからのビデオをフィルタにかけることにより、ユーザは、対象とするミュージック・ストリームのための帯域幅の使用を低減させる。これにより、ユーザは、ユーザの毎月のデータ・プラン内で、より多くの望ましいデータをダウンロードすることができるようになり、かつ／または特定の量の望ましいデータのためにより少ない支払いで済ますことができるようになる。
【００３５】
本発明は、そのある種の例の観点から説明されているが、本発明は、上記の説明だけに限定されることを意図してはおらず、添付の特許請求の範囲の中で提示される範囲だけに限定される。
【図１】
2016530759.tif 000003
【図２】
2016530759.tif 000004
【国際調査報告】
2016530759.tif 000005
2016530759.tif 000006
2016530759.tif 000007